(57)【要約】【課題】同一人物の足の形態、時間帯、活動、左右によって履き心地が変化するため、良好な履き心地を選択できる靴が望まれている。また、サイズが同じ靴でも靴の形状やデザインにより、足が部分的に圧迫されることがあり、その刺激による不快感を感じることがある。【解決手段】本発明の靴用甲当てクッションカバーは、足の甲に当接する甲当て部と、足のつま先に当接するつま先保持部とを有する靴用甲当てクッションカバーであり、前記甲当て部が靴の咽回り線内にアーチ状に形成され、靴の舌部に密着することを特徴とする。また、本発明の靴用甲当てクッションカバーは、伸縮性及び通気性のある素材で形成され、甲当て部の内側に、足の甲の一部を押圧する突起部を設けたことを特徴とする。【選択図】図１
2018102357.tif 000002
【特許請求の範囲】
【請求項１】
足の甲に当接する甲当て部と、足のつま先に当接するつま先保持部とを有する靴用甲当てクッションカバーであり、前記甲当て部が靴の咽回り線内にアーチ状に形成され、靴の舌部に密着することを特徴とする靴用甲当てクッションカバー。
【請求項２】
伸縮性及び通気性のある素材で形成され、甲当て部の内側に、足の甲の一部を押圧する突起部を設けたことを特徴とする請求項１に記載の靴用甲当てクッションカバー。
【発明の詳細な説明】
【技術分野】
【０００１】
本発明は、靴の内部に装着する甲当てカバーに関する。
【背景技術】
【０００２】
靴は一般に足を保護するために使用され、いろいろな環境に対応する構造になっている。靴は長い時間履くことも多く、自分の足に合うものとして購入するが、市販されているサイズの中から選んで履いているうちに、疲れや靴擦れ等の問題が生じることがある。
【０００３】
図１は従来の靴の斜視図を示す。図１に示す靴１は、腰（後足部）６、爪（前足部）４、ふまず部（靴底中央部）７からなり、爪４は装飾上大切な部分で内側からアーチで支え、全体に衝撃、通気性、足の形との適合性が必要であり、爪４から腰６にかけて機能を発揮する大切な部分である。また、５は舌部、９は靴底部である。靴の形は、足との適合性と機能性を持たせるため締め付け、敷皮や付属品（パット）を付けて安定性を高め、履き具合を良くして身体の重みを受ける
【先行技術文献】
【特許文献】
【０００４】
【特許文献１】特開平５−２３７００５
【発明の概要】
【発明が解決しようとする課題】
【０００５】
以上のような従来の靴には、次のような解決すべき課題があった。
（１）同一人物の足の形態、時間帯、活動、左右によって履き心地が変化するため、良好な履き心地を選択できる靴が望まれている。
（２）靴の敷皮の付け替えや厚手の靴下の使用により、保持性や保護性は向上するが、親指のつま先がより強く靴に当たり、圧迫障害が起こり得る。
（３）靴の敷皮の付け替えや厚手の靴下の使用により、足の靴への密着性が高まるが、活動により靴内に湿気が充満し、通気性が損なわれるため、靴内の湿度及び温度が高くなり足が蒸れる。
（４）足の先端部に余裕を持たせるため、少し緩めの靴を履いていると、足が靴内で泳ぐため靴が重く感じられ、体全体の疲労にもつながる。
（５）サイズが同じ靴でも靴の形状やデザインにより、足が部分的に圧迫されることがあり、その刺激による不快感を感じることがある。
【課題を解決するための手段】
【０００６】
上記課題を解決するために、本発明の靴用甲当てクッションカバーは、足の甲に当接する甲当て部と、足のつま先に当接するつま先保持部とを有する靴用甲当てクッションカバーであり、前記甲当て部が靴の咽回り線内にアーチ状に形成され、靴の舌部に密着することを特徴とする。
【０００７】
また、本発明の靴用甲当てクッションカバーは、伸縮性及び通気性のある素材で形成され、甲当て部の内側に、足の甲の一部を押圧する突起部を設けたことを特徴とする。
【発明の効果】
【０００８】
本発明の靴用甲当てクッションカバーによれば、次のような効果が得られる。靴のつま先のつまりで親指の先が直接圧迫されるものを靴の咽回り線内にアーチ状に靴用甲当てクッションカバーが連結され、足の先端部と、足の親指と人差し指のつけ根部が圧迫を受けることにより、靴の履き心地が良くなり、身体の重みを軽減し、圧迫障害を少なくする。
【図面の簡単な説明】
【０００９】
【図１】一般的な靴の斜視図を示す。
【図２】本発明の甲当てクッションカバーの斜視図を示す。
【図３】図２におけるＡ−Ａ断面図（ａ）、Ｂ−Ｂ断面図（ｂ）、Ｃ−Ｃ断面図（ｃ）を示す。
【図４】本発明の甲当てクッションカバーの使用状態を示す説明図である。
【発明を実施するための形態】
【００１０】
以下、本発明を具体例を用いて説明する。
【実施例】
【００１１】
図２に本発明の甲当てクッションカバーを示す。図２に示すように、本発明の甲当てクッションカバー２は、図１に示す靴１の舌部５及び咽回り部８に密着できるようなアーチ状のクッションカバーから構成されている。この甲当てクッションカバー２は、長手方向に幅狭部２ｂと幅広部２ａが形成され、足の親指と人差し指のつけ根部分を押圧する押圧部１０と、足のつま先部に当接するつま先保持部３を備えている。また、つま先保持部３の反対側には、靴１の舌部５が挿入される保持部１２が環状に設けられている。
【００１２】
具体的な使用方法は、まず、図１に示す靴１の舌部５に甲当てクッションカバー２の幅狭部２ｂを密着させ、幅広部分２ａを靴１の爪４（先端部）に案内しながら装着する。この時、足の先端部に甲当てクッションカバー２のつま先保持部３が軽く密着するようにして、足の親指と人差し指のつけ根部分を甲当てクッションカバー２の押圧部１０で上から押さえるようにセットすると、体圧を分散しながら足を安定に保つことができる。さらに、上記押圧部１０の足の親指と人差し指のつけ根部分に当接する箇所に突起１１を設けることにより、靴内でのより安定した足の保持を行うことができる。
【００１３】
甲当てクッションカバー２が靴１の舌部５から容易にずれないように、甲当てクッションカバー２の幅狭部２ｂに靴の紐通し用の穴を開け、紐付きの靴と連結させてもよい。また舌部５がない靴の場合には、咽回り部８の内側に沿ってアーチ状に適合させるために、クリップや両面テープ等の接合材を使用すれば、同様の効果が得られる。
【００１４】
図３は図2に示す甲当てクッションカバーの各断面図である。図３（ａ）は甲当てクッションカバー２が足の指のつけ根付近に当接する部分の図中Ａ−Ａ断面図であり、足の親指と人差し指のつけ根部分をより強く押圧するための突起１１が内側に形成されている。図３（ｂ）は甲当てクッションカバーが足のつま先に当接する部分のＢ−Ｂ断面図であり、つま先を指の上側からも覆っている。図３（ｃ）は甲当てクッションカバーの長手方向全体のＣ−Ｃ断面図である。
【００１５】
図４は本発明の甲当てクッションカバー２の使用状態を示す説明図であり、図４（ａ）は靴に足を入れた状態の上面内部を示す。また、図４（ｂ）は甲当てクッションカバー２が足と当接する状態を示す図である。市販の靴をデザインやサイズのみで選択したために、靴擦れや足の指やひざ等への障害が起きた場合でも、このように本発明の甲当てクッションカバー２を使用することにより、足の靴へのフィット感が良好になり不都合を解消することができる。また、身体の成長ともに足が靴に合わなくなった場合にも、本発明の甲当てクッションカバー２を使用することにより、靴な内部の大きさや形状を調整することができる。
【符号の説明】
【００１６】
1    靴
2    甲当てクッションカバー
2a  幅広部
2b  幅狭部
3    つま先保持部
4    爪
5    舌部
6    腰
7    ふまず部
8    咽回り部
9    靴底部
10  押圧部
11  突起
12  保持部
【図１】
2018102357.tif 000003
【図２】
2018102357.tif 000004
【図３】
2018102357.tif 000005
【図４】
2018102357.tif 000006